【手続補正書】
【提出日】平成16年6月9日(2004.6.9)
【手続補正１】
【補正対象書類名】明細書
【補正対象項目名】発明の名称
【補正方法】変更
【補正の内容】
【発明の名称】現像カートリッジ、プロセスカートリッジ及び電子写真画像形成装置
【手続補正２】
【補正対象書類名】明細書
【補正対象項目名】特許請求の範囲
【補正方法】変更
【補正の内容】
【特許請求の範囲】
【請求項１】
電子写真画像形成装置本体に着脱可能な現像カートリッジにおいて、
枠体と、
電子写真感光体に形成された静電潜像を現像するための現像手段と、
前記枠体から突出して設けられた第１の突出部であって、前記現像カートリッジを前記装置本体に装着した際に、前記装置本体に設けられた第１の位置決め部と係合して、前記現像カートリッジの位置決めを行う第１の突出部と、
前記枠体から突出して設けられた第２の突出部であって、前記現像カートリッジを前記装置本体に装着した際に、前記装置本体に設けられた第２の位置決め部と係合して、前記現像カートリッジが前記第１の位置決め部を中心に回転することを規制する第２の突出部と、
前記枠体から突出して設けられた、前記現像カートリッジを前記装置本体に装着する際に、前記装置本体に設けられた本体ガイド部と当接して前記現像カートリッジのガイドをするカートリッジガイド部材であって、前記現像カートリッジを前記装置本体に装着した際に、前記第２の突出部が前記第２の位置決め部と接触する方向に押圧されるカートリッジガイド部材と、
を有することを特徴とする現像カートリッジ。
【請求項２】
前記カートリッジガイド部材は、前記装置本体に設けられた付勢部材によって、前記第２の突出部が前記第２の位置決め部と接触する方向に押圧される被押圧部を有することを特徴とする請求項１に記載の現像カートリッジ。
【請求項３】
前記カートリッジガイド部材は、前記現像カートリッジを前記装置本体に装着する装着方向において、前記第１の突出部よりも下流側に設けられていることを特徴とする請求項１または２に記載の現像カートリッジ。
【請求項４】
前記カートリッジガイド部材は、前記現像カートリッジを前記装置本体に装着する装着方向に延びた突起であることを特徴とする請求項１乃至３のいずれかに記載の現像カートリッジ。
【請求項５】
前記第１の突出部は、断面形状が前記カートリッジガイド部材の幅より大きい直径の円形の突起であることを特徴とする請求項１乃至４のいずれかに記載の現像カートリッジ。
【請求項６】
前記第２の突出部は、前記現像カートリッジを前記装置本体に装着する装着方向と交差する方向において、前記カートリッジガイド部材から離れた位置に設けられていることを特徴とする請求項１乃至５のいずれかに記載の現像カートリッジ。
【請求項７】
前記現像カートリッジは、前記装置本体に回転可能に設けられたロータリ部材であって、電子写真感光体に形成された静電潜像を前記現像カートリッジの前記現像手段によって現像することのできる現像位置と、前記現像カートリッジを前記現像位置から退避する退避位置と、をとり得るロータリ部材に着脱可能であることを特徴とする請求項１乃至６のいずれかに記載の現像カートリッジ。
【請求項８】
前記現像カートリッジは、前記現像カートリッジが前記現像位置に移動した際に、前記装置本体に設けられた本体駆動ギアと係合する駆動入力ギアを有することを特徴とする請求項７に記載の現像カートリッジ。
【請求項９】
前記駆動入力ギアは、前記本体駆動ギアから駆動力が伝達された際に、前記第２の突出部が前記第２の位置決め部と接触する方向に前記本体駆動ギアから力を受ける位置に設けられていることを特徴とする請求項８に記載の現像カートリッジ。
【請求項１０】
前記現像カートリッジが前記退避位置から前記現像位置に移動し、前記本体駆動ギアと前記駆動入力ギアとが係合する際には、前記第２の突出部は前記第２の位置決め部に対して移動することができることを特徴とする請求項８または９に記載の現像カートリッジ。
【請求項１１】
前記現像カートリッジは、長手方向に移動可能に設けられた係止部材であって、前記装置本体に設けられた穴部と係脱可能で、前記ロータリ部材が回転した際に、前記現像カートリッジが前記装置本体から外れることを防ぐ係止部材を有することを特徴とする請求項７乃至１０のいずれかに記載の現像カートリッジ。
【請求項１２】
前記被押圧部は、前記ロータリ部材が回転する方向とは反対の方向に、前記第１の突出部を中心に前記現像カートリッジが回転するように押圧されていることを特徴とする請求項７乃至１１のいずれかに記載の現像カートリッジ。
【請求項１３】
前記第１の突出部は、前記枠体の長手方向において前記枠体の両端側から突出して設けられており、
更に前記第２の突出部は、前記枠体の長手方向において前記枠体の両端側から突出して設けられていることを特徴とする請求項１乃至１２のいずれかに記載の現像カートリッジ。
【請求項１４】
電子写真画像形成装置本体に着脱可能なプロセスカートリッジにおいて、
枠体と、
電子写真感光体と、
前記電子写真感光体に形成された静電潜像を現像するための現像手段と、
前記枠体から突出して設けられた第１の突出部であって、前記プロセスカートリッジを前記装置本体に装着した際に、前記装置本体に設けられた第１の位置決め部と係合して、前記プロセスカートリッジの位置決めを行う第１の突出部と、
前記枠体から突出して設けられた第２の突出部であって、前記プロセスカートリッジを前記装置本体に装着した際に、前記装置本体に設けられた第２の位置決め部と係合して、前記現像カートリッジが前記第１の位置決め部を中心に回転することを規制する第２の突出部と、
前記枠体から突出して設けられた、前記プロセスカートリッジを前記装置本体に装着する際に、前記装置本体に設けられた本体ガイド部と当接して前記プロセスカートリッジのガイドをするカートリッジガイド部材であって、前記プロセスカートリッジを前記装置本体に装着した際に、前記第２の突出部が前記第２の位置決め部と接触する方向に押圧されるカートリッジガイド部材と、
を有することを特徴とするプロセスカートリッジ。
【請求項１５】
記録媒体に画像を形成する電子写真画像形成装置において、
（a）本体ガイド部と、
（b）第１の位置決め部と、
（c）第２の位置決め部と、
（d）枠体と、電子写真感光体に形成された静電潜像を現像するための現像手段と、前記枠体から突出して設けられた第１の突出部であって、前記現像カートリッジを前記装置本体に装着した際に、前記第１の位置決め部と係合して、前記現像カートリッジの位置決めを行う第１の突出部と、前記枠体から突出して設けられた第２の突出部であって、前記現像カートリッジを前記装置本体に装着した際に、前記第２の位置決め部と係合して、前記現像カートリッジが前記第１の位置決め部を中心に回転することを規制する第２の突出部と、前記枠体から突出して設けられた、前記現像カートリッジを前記装置本体に装着する際に、前記本体ガイド部と当接して前記現像カートリッジのガイドをするカートリッジガイド部材であって、前記現像カートリッジを前記装置本体に装着した際に、前記第２の突出部が前記第２の位置決め部と接触する方向に押圧されるカートリッジガイド部材と、を有する現像カートリッジを取り外し可能に装着するための装着手段と、
（e）前記記録媒体を搬送するための搬送手段と、
を有することを特徴とする電子写真画像形成装置。
【請求項１６】
更に、前記電子写真画像形成装置は、前記カートリッジガイド部材に設けられた被押圧部を、前記第２の突出部が前記第２の位置決め部と接触する方向に押圧する付勢部材を有することを特徴とする請求項１５に記載の電子写真画像形成装置。
【請求項１７】
前記付勢部材は、前記現像カートリッジを前記装置本体に装着する装着方向における前記第１の位置決め部よりも下流側に設けられていることを特徴とする請求項１６に記載の電子写真画像形成装置。
【請求項１８】
更に、前記電子写真画像形成装置は、回転可能に設けられたロータリ部材であって、電子写真感光体に形成された静電潜像を前記現像カートリッジの前記現像手段によって現像することのできる現像位置と、前記現像カートリッジを前記現像位置から退避する退避位置とをとり得るロータリ部材を有することを特徴とする請求項１５乃至１７のいずれかに記載の電子写真画像形成装置。
【請求項１９】
更に、前記電子写真画像形成装置は、
前記現像位置に前記現像カートリッジが移動した際に、前記現像カートリッジに設けられた駆動入力ギアと係合する本体駆動ギアであって、前記駆動入力ギアへ駆動力を伝達した際に、前記第２の突出部を前記第２の位置決め部と接触する方向に前記駆動入力ギアを押圧する位置に設けられた本体駆動ギアを有することを特徴とする請求項１８に記載の電子写真画像形成装置。
【請求項２０】
前記第２の位置決め部は、前記現像カートリッジが前記退避位置から前記現像位置に移動し、前記本体駆動ギアと前記駆動入力ギアとが係合する際には、前記第２の突出部を移動可能に支持していることを特徴とする請求項１９に記載の電子写真画像形成装置。
【手続補正３】
【補正対象書類名】明細書
【補正対象項目名】００１８
【補正方法】変更
【補正の内容】
【００１８】
【課題を解決するための手段】
本発明は下記の構成を特徴とする現像カートリッジ、プロセスカートリッジ及び電子写真画像形成装置であり、請求項と対応する番号を付して示せば以下のとおりである。
【手続補正４】
【補正対象書類名】明細書
【補正対象項目名】００１９
【補正方法】変更
【補正の内容】
【００１９】
（１）電子写真画像形成装置本体に着脱可能な現像カートリッジにおいて、
枠体と、
電子写真感光体に形成された静電潜像を現像するための現像手段と、
前記枠体から突出して設けられた第１の突出部であって、前記現像カートリッジを前記装置本体に装着した際に、前記装置本体に設けられた第１の位置決め部と係合して、前記現像カートリッジの位置決めを行う第１の突出部と、
前記枠体から突出して設けられた第２の突出部であって、前記現像カートリッジを前記装置本体に装着した際に、前記装置本体に設けられた第２の位置決め部と係合して、前記現像カートリッジが前記第１の位置決め部を中心に回転することを規制する第２の突出部と、
前記枠体から突出して設けられた、前記現像カートリッジを前記装置本体に装着する際に、前記装置本体に設けられた本体ガイド部と当接して前記現像カートリッジのガイドをするカートリッジガイド部材であって、前記現像カートリッジを前記装置本体に装着した際に、前記第２の突出部が前記第２の位置決め部と接触する方向に押圧されるカートリッジガイド部材と、
を有することを特徴とする現像カートリッジ。
【手続補正５】
【補正対象書類名】明細書
【補正対象項目名】００２０
【補正方法】変更
【補正の内容】
【００２０】
（２）前記カートリッジガイド部材は、前記装置本体に設けられた付勢部材によって、前記第２の突出部が前記第２の位置決め部と接触する方向に押圧される被押圧部を有することを特徴とする（１）に記載の現像カートリッジ。
【手続補正６】
【補正対象書類名】明細書
【補正対象項目名】００２１
【補正方法】変更
【補正の内容】
【００２１】
（３）前記カートリッジガイド部材は、前記現像カートリッジを前記装置本体に装着する装着方向において、前記第１の突出部よりも下流側に設けられていることを特徴とする（１）または（２）に記載の現像カートリッジ。
【手続補正７】
【補正対象書類名】明細書
【補正対象項目名】００２２
【補正方法】変更
【補正の内容】
【００２２】
（４）前記カートリッジガイド部材は、前記現像カートリッジを前記装置本体に装着する装着方向に延びた突起であることを特徴とする（１）乃至（３）のいずれかに記載の現像カートリッジ。
【手続補正８】
【補正対象書類名】明細書
【補正対象項目名】００２３
【補正方法】変更
【補正の内容】
【００２３】
（５）前記第１の突出部は、断面形状が前記カートリッジガイド部材の幅より大きい直径の円形の突起であることを特徴とする（１）乃至（４）のいずれかに記載の現像カートリッジ。
【手続補正９】
【補正対象書類名】明細書
【補正対象項目名】００２４
【補正方法】変更
【補正の内容】
【００２４】
（６）前記第２の突出部は、前記現像カートリッジを前記装置本体に装着する装着方向と交差する方向において、前記カートリッジガイド部材から離れた位置に設けられていることを特徴とする（１）乃至（５）のいずれかに記載の現像カートリッジ。
【手続補正１０】
【補正対象書類名】明細書
【補正対象項目名】００２５
【補正方法】変更
【補正の内容】
【００２５】
（７）前記現像カートリッジは、前記装置本体に回転可能に設けられたロータリ部材であって、電子写真感光体に形成された静電潜像を前記現像カートリッジの前記現像手段によって現像することのできる現像位置と、前記現像カートリッジを前記現像位置から退避する退避位置と、をとり得るロータリ部材に着脱可能であることを特徴とする（１）乃至（６）のいずれかに記載の現像カートリッジ。
【手続補正１１】
【補正対象書類名】明細書
【補正対象項目名】００２６
【補正方法】変更
【補正の内容】
【００２６】
（８）前記現像カートリッジは、前記現像カートリッジが前記現像位置に移動した際に、前記装置本体に設けられた本体駆動ギアと係合する駆動入力ギアを有することを特徴とする（７）に記載の現像カートリッジ。
【手続補正１２】
【補正対象書類名】明細書
【補正対象項目名】００２７
【補正方法】変更
【補正の内容】
【００２７】
（９）前記駆動入力ギアは、前記本体駆動ギアから駆動力が伝達された際に、前記第２の突出部が前記第２の位置決め部と接触する方向に前記本体駆動ギアから力を受ける位置に設けられていることを特徴とする（８）に記載の現像カートリッジ。
【手続補正１３】
【補正対象書類名】明細書
【補正対象項目名】００２８
【補正方法】変更
【補正の内容】
【００２８】
（１０）前記現像カートリッジが前記退避位置から前記現像位置に移動し、前記本体駆動ギアと前記駆動入力ギアとが係合する際には、前記第２の突出部は前記第２の位置決め部に対して移動することができることを特徴とする（８）または（９）に記載の現像カートリッジ。
【手続補正１４】
【補正対象書類名】明細書
【補正対象項目名】００２９
【補正方法】変更
【補正の内容】
【００２９】
（１１）前記現像カートリッジは、長手方向に移動可能に設けられた係止部材であって、前記装置本体に設けられた穴部と係脱可能で、前記ロータリ部材が回転した際に、前記現像カートリッジが前記装置本体から外れることを防ぐ係止部材を有することを特徴とする（７）乃至（１０）のいずれかに記載の現像カートリッジ。
【手続補正１５】
【補正対象書類名】明細書
【補正対象項目名】００３０
【補正方法】変更
【補正の内容】
【００３０】
（１２）前記被押圧部は、前記ロータリ部材が回転する方向とは反対の方向に、前記第１の突出部を中心に前記現像カートリッジが回転するように押圧されていることを特徴とする（７）乃至（１１）のいずれかに記載の現像カートリッジ。
【手続補正１６】
【補正対象書類名】明細書
【補正対象項目名】００３１
【補正方法】変更
【補正の内容】
【００３１】
（１３）前記第１の突出部は、前記枠体の長手方向において前記枠体の両端側から突出して設けられており、
更に前記第２の突出部は、前記枠体の長手方向において前記枠体の両端側から突出して設けられていることを特徴とする（１）乃至（１２）のいずれかに記載の現像カートリッジ。

【手続補正１７】
【補正対象書類名】明細書
【補正対象項目名】００３２
【補正方法】変更
【補正の内容】
【００３２】
（１４）電子写真画像形成装置本体に着脱可能なプロセスカートリッジにおいて、
枠体と、
電子写真感光体と、
前記電子写真感光体に形成された静電潜像を現像するための現像手段と、
前記枠体から突出して設けられた第１の突出部であって、前記プロセスカートリッジを前記装置本体に装着した際に、前記装置本体に設けられた第１の位置決め部と係合して、前記プロセスカートリッジの位置決めを行う第１の突出部と、
前記枠体から突出して設けられた第２の突出部であって、前記プロセスカートリッジを前記装置本体に装着した際に、前記装置本体に設けられた第２の位置決め部と係合して、前記現像カートリッジが前記第１の位置決め部を中心に回転することを規制する第２の突出部と、
前記枠体から突出して設けられた、前記プロセスカートリッジを前記装置本体に装着する際に、前記装置本体に設けられた本体ガイド部と当接して前記プロセスカートリッジのガイドをするカートリッジガイド部材であって、前記プロセスカートリッジを前記装置本体に装着した際に、前記第２の突出部が前記第２の位置決め部と接触する方向に押圧されるカートリッジガイド部材と、
を有することを特徴とするプロセスカートリッジ。
【手続補正１８】
【補正対象書類名】明細書
【補正対象項目名】００３３
【補正方法】変更
【補正の内容】
【００３３】
（１５）記録媒体に画像を形成する電子写真画像形成装置において、
（a）本体ガイド部と、
（b）第１の位置決め部と、
（c）第２の位置決め部と、
（d）枠体と、電子写真感光体に形成された静電潜像を現像するための現像手段と、前記枠体から突出して設けられた第１の突出部であって、前記現像カートリッジを前記装置本体に装着した際に、前記第１の位置決め部と係合して、前記現像カートリッジの位置決めを行う第１の突出部と、前記枠体から突出して設けられた第２の突出部であって、前記現像カートリッジを前記装置本体に装着した際に、前記第２の位置決め部と係合して、前記現像カートリッジが前記第１の位置決め部を中心に回転することを規制する第２の突出部と、前記枠体から突出して設けられた、前記現像カートリッジを前記装置本体に装着する際に、前記本体ガイド部と当接して前記現像カートリッジのガイドをするカートリッジガイド部材であって、前記現像カートリッジを前記装置本体に装着した際に、前記第２の突出部が前記第２の位置決め部と接触する方向に押圧されるカートリッジガイド部材と、を有する現像カートリッジを取り外し可能に装着するための装着手段と、
（e）前記記録媒体を搬送するための搬送手段と、
を有することを特徴とする電子写真画像形成装置。
【手続補正１９】
【補正対象書類名】明細書
【補正対象項目名】００３４
【補正方法】変更
【補正の内容】
【００３４】
（１６）更に、前記電子写真画像形成装置は、前記カートリッジガイド部材に設けられた被押圧部を、前記第２の突出部が前記第２の位置決め部と接触する方向に押圧する付勢部材を有することを特徴とする（１５）に記載の電子写真画像形成装置。
【手続補正２０】
【補正対象書類名】明細書
【補正対象項目名】００３５
【補正方法】変更
【補正の内容】
【００３５】
（１７）前記付勢部材は、前記現像カートリッジを前記装置本体に装着する装着方向における前記第１の位置決め部よりも下流側に設けられていることを特徴とする（１６）に記載の電子写真画像形成装置。
【手続補正２１】
【補正対象書類名】明細書
【補正対象項目名】００３６
【補正方法】変更
【補正の内容】
【００３６】
（１８）更に、前記電子写真画像形成装置は、
回転可能に設けられたロータリ部材であって、電子写真感光体に形成された静電潜像を前記現像カートリッジの前記現像手段によって現像することのできる現像位置と、前記現像カートリッジを前記現像位置から退避する退避位置とをとり得るロータリ部材を有することを特徴とする（１５）乃至（１７）のいずれかに記載の電子写真画像形成装置。
【手続補正２２】
【補正対象書類名】明細書
【補正対象項目名】００３７
【補正方法】変更
【補正の内容】
【００３７】
（１９）更に、前記電子写真画像形成装置は、
前記現像位置に前記現像カートリッジが移動した際に、前記現像カートリッジに設けられた駆動入力ギアと係合する本体駆動ギアであって、前記駆動入力ギアへ駆動力を伝達した際に、前記第２の突出部を前記第２の位置決め部と接触する方向に前記駆動入力ギアを押圧する位置に設けられた本体駆動ギアを有することを特徴とする（１８）に記載の電子写真画像形成装置。
【手続補正２３】
【補正対象書類名】明細書
【補正対象項目名】００３８
【補正方法】変更
【補正の内容】
【００３８】
（２０）前記第２の位置決め部は、前記現像カートリッジが前記退避位置から前記現像位置に移動し、前記本体駆動ギアと前記駆動入力ギアとが係合する際には、前記第２の突出部を移動可能に支持していることを特徴とする（１９）に記載の電子写真画像形成装置。
【手続補正２４】
【補正対象書類名】明細書
【補正対象項目名】００３９
【補正方法】削除
【補正の内容】